(57)【要約】【課題】タイムカードの種別に拘らず、タイムカードに入力（打刻）された情報を読み取ることが可能なタイムカード読取システム等を提供することをその課題とする。【解決手段】タイムカードにおける入力項目の配置が異なる複数種のテンプレートを記憶するテンプレート記憶部５１と、タイムカードのイメージを読み取る読取部２０と、記憶した複数種のテンプレートのうち、使用するテンプレートを指定するテンプレート指定部５２と、読取部２０の読取結果から、指定されたテンプレートに基づく所定領域のテキストデータを抽出することにより、各入力項目の項目情報を取得する項目情報取得部５３と、を備えたものである。【選択図】図２
2007164314.tif 000002
【特許請求の範囲】
【請求項１】
複数の入力項目を有するタイムカードのイメージを読み取る読取装置と、当該入力項目
の項目情報を取り込む制御装置と、から構成されるタイムカード読取システムであって、
前記入力項目の配置が異なる複数種のテンプレートを記憶するテンプレート記憶手段と
、
前記タイムカードのイメージを読み取る読取手段と、
記憶した前記複数種のテンプレートのうち、使用するテンプレートを指定するテンプレ
ート指定手段と、
前記読取手段の読取結果から、指定された前記テンプレートに基づく所定領域のテキス
トデータを抽出することにより、前記各入力項目の項目情報を取得する項目情報取得手段
と、を備えたことを特徴とするタイムカード読取システム。
【請求項２】
前記テンプレート指定手段は、前記読取手段の読取結果に基づいて前記使用するテンプ
レートを決定するテンプレート自動決定手段、を有することを特徴とする請求項１に記載
のタイムカード読取システム。
【請求項３】
取得した前記項目情報を表示する項目情報表示手段と、
表示された前記項目情報を編集する項目情報編集手段と、をさらに備えたことを特徴と
する請求項１または２に記載のタイムカード読取システム。
【請求項４】
請求項１または２に記載のタイムカード読取システムにおける各手段を備えたことを特
徴とする読取装置。
【請求項５】
複数の入力項目を有するタイムカードのイメージを読み取る読取装置と、当該入力項目
の項目情報を取り込む制御装置と、から構成されるタイムカード読取システムの読取方法
であって、
前記入力項目の配置が異なる複数種のテンプレートを記憶するテンプレート記憶工程と
、
前記タイムカードのイメージを読み取る読取工程と、
記憶した前記複数種のテンプレートのうち、使用するテンプレートを指定するテンプレ
ート指定工程と、
前記読取工程の読取結果から、指定された前記テンプレートに基づく所定領域のテキス
トデータを抽出することにより、前記各入力項目の項目情報を取得する項目情報取得工程
と、を実行することを特徴とするタイムカード読取システムの読取方法。
【請求項６】
コンピュータに、請求項１ないし３のいずれか１項に記載のタイムカード読取システム
における各手段を機能させることを特徴とするプログラム。
【発明の詳細な説明】
【技術分野】
【０００１】
本発明は複数の入力項目を有するタイムカードのイメージを読み取る読取装置と、当該
タイムカードの項目情報を取り込む制御装置と、から構成されるタイムカード読取システ
ム、読取装置、タイムカード読取システムの読取方法、プログラムに関するものである。
【背景技術】
【０００２】
従来、企業における従業員の勤怠管理として、タイムカードにタイムレコーダを用いて
出勤および退出時間等を打刻（入力）し、月末にこのタイムカードを集計して勤怠管理を
行うことが広く普及している。そして、このタイムカードに打刻された情報を光学的に読
み取ることが可能なタイムカードの集計処理システムが開示されている（例えば特許文献
１参照）。この集計処理システムによれば、タイムカードに打刻された情報の集計を手作
業で行う必要がないため、事務処理の負担が大幅に軽減されるとともに、人為的なミスを
防ぐことが可能となった。
【特許文献１】特開２００１−３２２３８３号公報
【発明の開示】
【発明が解決しようとする課題】
【０００３】
かかる集計処理システムでは、タイムカードに打刻された勤怠情報を光学的に読み取ら
せるために専用のタイムカードを用いている。しかし、市場には複数メーカのタイムカー
ドが流通しており、各企業によって使用しているタイムカードは様々である。従って、上
述の集計処理システムを導入するためには、使用するタイムカードやタイムレコーダを新
規に購入する必要が生じることになり、システムの導入を妨げる要因となっていた。
【０００４】
本発明は、上記の問題点に鑑み、タイムカードの種別に拘らず、タイムカードに入力（
打刻）された情報を読み取ることが可能なタイムカード読取システム、読取装置、タイム
カード読取システムの読取方法、プログラムを提供することをその課題とする。
【課題を解決するための手段】
【０００５】
本発明のタイムカード読取システムは、複数の入力項目を有するタイムカードのイメー
ジを読み取る読取装置と、当該入力項目の項目情報を取り込む制御装置と、から構成され
るタイムカード読取システムであって、入力項目の配置が異なる複数種のテンプレートを
記憶するテンプレート記憶手段と、タイムカードのイメージを読み取る読取手段と、記憶
した複数種のテンプレートのうち、使用するテンプレートを指定するテンプレート指定手
段と、読取手段の読取結果から、指定されたテンプレートに基づく所定領域のテキストデ
ータを抽出することにより、各入力項目の項目情報を取得する項目情報取得手段と、を備
えたことを特徴とする。
【０００６】
同様に、本発明のタイムカード読取システムの読取方法は、複数の入力項目を有するタ
イムカードのイメージを読み取る読取装置と、当該入力項目の項目情報を取り込む制御装
置と、から構成されるタイムカード読取システムの読取方法であって、入力項目の配置が
異なる複数種のテンプレートを記憶するテンプレート記憶工程と、タイムカードのイメー
ジを読み取る読取工程と、記憶した複数種のテンプレートのうち、使用するテンプレート
を指定するテンプレート指定工程と、読取工程の読取結果から、指定されたテンプレート
に基づく所定領域のテキストデータを抽出することにより、各入力項目の項目情報を取得
する項目情報取得工程と、を実行することを特徴とする。
【０００７】
これらの構成によれば、入力項目の配置が異なる複数種のテンプレートを記憶している
ことにより、読み取り対象となるタイムカードに対応するテンプレートを用いてタイムカ
ードの各項目情報を正確に取得することができる。すなわち、読み取り対象とするタイム
カードに対応するテンプレートを記憶しておけば、全種類のタイムカードを読み取ること
が可能となる。従って、タイムカードの読み取りにおいてその種別が規制されることがな
く、システムの導入を容易に実現し得る。
【０００８】
この場合、テンプレート指定手段は、読取手段の読取結果に基づいて使用するテンプレ
ートを決定するテンプレート自動決定手段、を有することが好ましい。
【０００９】
この構成によれば、ユーザからの指示を必要とせずに使用するテンプレートを自動で決
定することができるので、ユーザによる操作の手間を省くことができる。また、使用する
テンプレートの指定ミスといった人為的な操作ミスが生じる虞もない。
【００１０】
また、これらの場合、取得した前記項目情報を表示する項目情報表示手段と、表示され
た項目情報を編集する項目情報編集手段と、をさらに備えることが好ましい。
【００１１】
この構成によれば、読み取らせたタイムカードに含まれる各項目の項目情報をユーザが
視認し、さらに必要に応じてその情報を編集し修正することができる。例えば、打刻ミス
等より項目情報が手書きで記入されているようなタイムカードも数多く存在する。このよ
うな場合、装置側において、手書きで記入された項目情報を正確に読み取るには限界があ
る。従って、読み取らせた項目情報をユーザが編集可能に構成することにより、より利便
性の高い読み取りシステムを提供することができる。
【００１２】
本発明の読取装置は、上記のいずれか１に記載のタイムカード読取システムにおける各
手段を備えることが好ましい。
【００１３】
この構成によれば、読取装置において、タイムカードに含まれる各項目情報を取得する
ことができるので、制御装置がタイムカードの項目情報を取り込む場合、読取装置から送
信される情報が全てテキストデータとなることから、送信処理の高速化を図り得る。
【００１４】
本発明のプログラムは、上記のいずれか１に記載のタイムカード読取システムにおける
各手段をコンピュータに機能させるためのものであることを特徴とする。
【００１５】
このプログラムをコンピュータが実行することにより、タイムカードの種別に拘らず、
タイムカードに入力（打刻）された情報を読み取ることが可能なタイムカード読取システ
ムを実現することができる。
【発明を実施するための最良の形態】
【００１６】
以下、本発明の一実施形態に係るタイムカード読取システム、読取装置、タイムカード
読取システムの読取方法、プログラムについて、添付の図面を参照しながら詳細に説明す
る。
【００１７】
図１は、本実施形態に係るタイムカード読取システム１のシステム構成図である。同図
に示すように、本実施形態のタイムカード読取システム１は、複数の入力項目を有するタ
イムカードＴ（図３参照）のイメージを読み取る読取装置１０と、このタイムカードＴの
項目情報を取り込む制御装置３０と、から構成されている。読取装置１０は制御装置３０
の入出力インターフェース３４を介してケーブル接続（ケーブルは図示省略）されている
。
【００１８】
読取装置１０は、いわゆるスキャナでありＣＣＤ等のイメージセンサ１１によって、画
像を光学的に読み取るものである。
【００１９】
制御装置３０は、キーボードやマウス等の入力デバイス３１、入力データや処理結果を
表示するディスプレイ３２、およびハードディスク３３（以下、「ＨＤ３３」と表記する
）、を備え、これらはそれぞれ入出力インターフェース３４に接続されている。また制御
装置３０は、ＣＰＵ３５、ＲＯＭ３６、ＲＡＭ３７を備え、これらは内部バスを介して入
出力インターフェース３４と接続されている。
【００２０】
ＣＰＵ３５は、ＲＯＭ３６内の制御プログラムに従って、入出力インターフェース３４
を介し制御装置３０の各部から各種信号・データを入力すると共に、入力した各種信号・
データに基づいてＲＡＭ３７内の各種データを処理する。さらに、入出力インターフェー
ス３４を介して制御装置３０内の各部に各種信号・データを出力することにより、各種処
理の制御を行う。
【００２１】
また、ＨＤ３３には、基本ソフトとなるオペレーティングシステム３８や、読取装置１
０等の各種デバイスを制御するためのドライバ３９が組み込まれるとともに、タイムカー
ドＴの読み取り処理を行うためのタイムカード読取プログラム４０、読取装置１０から送
信された読取結果からテキストデータを抽出するテキストデータ抽出プログラム４１、お
よび勤怠情報を集計するための勤怠情報集計プログラム４２が記憶されている。なお、タ
イムカード読取プログラム４０およびテキストデータ抽出プログラム４１を読取装置１０
のドライバ３９として組み込む構成でもよい。
【００２２】
続いて図２を参照し、本実施形態に係るタイムカード読取システム１の機能構成につい
て説明する。
【００２３】
読取装置１０は、タイムカードＴのイメージを読み取る読取部２０を備えており、本実
施形態では上述したＣＣＤ等のイメージセンサ１１がこの読取部２０に相当するものであ
る。一方制御装置３０は、各項目の配置が異なる複数種のタイムカードＴに対応した複数
種のテンプレートＴＭを記憶するテンプレート記憶部５１、記憶しているテンプレートＴ
Ｍのなかから、読み取りに使用するテンプレートを指定するテンプレート指定部５２、指
定されたテンプレートＴＭに基づく所定領域のテキストデータを抽出することにより、タ
イムカードＴの項目情報を取得する項目情報取得部５３、取得した項目情報を表示する項
目情報表示部５４、表示された項目情報を編集する項目情報編集部５５、を備えている。
【００２４】
また、テンプレート指定部５２は、さらにテンプレート自動決定部５６を有している。
テンプレート自動決定部５６は、例えばテンプレートを指定するユーザからの指示がない
場合、読取ったタイムカードＴのイメージデータ（読取り部による読取り結果）に基づい
て使用するテンプレートＴＭを自動的に決定するものである。なお、テンプレート記憶部
５１は、制御装置３０のＨＤ３３がその主要部を構成しており、テンプレート指定部５２
、項目情報取得部５３、項目情報表示部５４、並びに項目情報編集部５５は、制御装置３
０のＣＰＵ３５がタイムカード読取プログラム４０またはテキストデータ抽出プログラム
４１に従って、各種の処理を行うことにより実現されるものである。
【００２５】
さらに、上述の各部による具体的な処理手順について図３ないし図８を参照し詳細に説
明する。まず、本実施形態に係る読取システムの読取対象となるタイムカードＴについて
説明する。
【００２６】
図３は、タイプＡからタイプＣまでの３種類のタイムカードＴを図示するものである。
同図（ａ）に示すタイプＡのタイムカードＴは、例えば社員番号が記入される「番号」項
目１０１と、同じく氏名が記入される「氏名」項目１０２と、「年（年度）」および「月
」が記入される「年」項目１０３および「月」項目１０４と、がタイムカードＴの上下方
向に並んで配置している。また、その下部には、例えばタイムレコーダ等でその時刻（日
付）が打刻される項目となる打刻項目１０５として、「日付」、「出勤」、「退出」、「
時間数」、「外出」、「再入」の各項目が左右方向に順次並んで配置している。
【００２７】
一方、同図（ｂ）に示すタイプＢのタイムカードＴは、「番号」項目１０１と「氏名」
項目１０２とがタイムカードＴの左右方向に並んで配置しており、その下部に「年」項目
１０３および「月」項目１０４が配置している。また、各打刻項目１０５は「日付」、「
出勤」、「外出」、「戻り（タイプＡにおける再入）」、「退出」の順に並んで配置して
おり、タイプＡとは異なる並び順となっている。
【００２８】
さらに、同図（ｃ）に示すタイプＣのタイムカードＴは、「番号」項目１０１、「氏名
」項目１０２、「年」項目１０３、および「月」項目１０４の各項目の配置はタイプＢの
タイムカードＴと同様であるものの、打刻項目１０５は、「日付」、「出勤（午前）」、
「退出（午前）」、「出勤（午後）」、「退出（午後）」の各項目がタイムカードＴの左
右方向に順次並んで配置しており、各項目の並び位置だけでなく、その項目内容がタイプ
ＡおよびタイプＢとは異なるものとなっている。また、同図（ａ）〜（ｃ）に示すタイム
カードＴに共通して、タイムカードＴの種別を識別するための種別情報を表すバーコード
ＢがそれぞれタイムカードＴに印刷されている。
【００２９】
図４は、これらタイプＡからタイプＣまでの３種類のタイムカードＴに対応した３種類
のテンプレートＴＭを図示している。なお、「テンプレートＴＭ」とは、タイムカードＴ
に配置する各入力項目（記入項目や打刻項目）の読取開始位置および読取終了位置に関す
る情報を意味し、各項目の読取開始位置および読取終了位置について、例えば「タイムカ
ードＴのイメージデータ（読取装置１０により読み取られた読取結果）における左端およ
び上端を基点としてそれぞれ何ミリの位置である」といった情報を記憶するものである。
なお、数値の単位としてミリの他にも例えばｄｏｔ等を採用してもよいし、タイムカード
Ｔのイメージデータの一端を座標（０，０）として、各読取開始位置および読取終了位置
を座標として記憶してもよい。
【００３０】
同図（ａ）に示すテンプレートＴＭは、図３（ａ）に示したタイプＡのタイムカードＴ
を読み取るためのテンプレートＴＭを示している。図示するように、記入項目である「番
号」項目１０１、「氏名」項目１０２、「年」項目１０３および「月」項目１０４、の各
項目について、「上端」または「左端」を基点とした場合の読み取り開始位置および読取
終了位置を数値で記憶している。また、打刻項目１０５である「日付」、「出勤」、「退
出」、「時間数」、「外出」、「再入」の各項目については、「左端」を基点とした場合
の読み取り開始位置および読取終了位置のみを数値で記憶している。そして、打刻項目１
０５の各項目情報は、一日分の情報（１データ）が上下方向に連続して打刻されるため、
「上端」を基点とした場合の読み取り開始位置として先頭データの開始位置を記憶し、さ
らに１データのタイムカードＴ上下方向における項目長さを記憶している。
【００３１】
同様に、同図（ｂ）および（ｃ）に示すテンプレートＴＭは、図３（ｂ）および（ｃ）
に示したタイプＢおよびタイプＣのタイムカードＴを読み取るためのテンプレートＴＭを
示しており、その詳細な説明については上述のテンプレートＴＭと同様であり省略する。
なお、各項目とこれに対応する位置情報とを１対１で記憶するのではなく、図５に示すよ
うに、１つの項目に対してタイムカードＴの種別毎に位置情報を記憶してもよい。このと
き、タイプＡのタイムカードＴにおける「再入」項目と、タイプＢのタイムカードＴにお
ける「戻り」項目とは（図３も参照）、同一の内容を表しているので、タイプＡおよびタ
イプＢのタイムカードＴにおける共通項目として扱ってもよい。
【００３２】
続いて、図６を参照し、項目情報取得部５３による項目情報の取得処理について具体的
に説明する。項目情報取得部５３は、読取装置１０によって読み取られたタイムカードＴ
のイメージデータ（同図（ａ）参照）から、指定されたテンプレートＴＭに基づいて各項
目の項目領域を特定する（同図（ｂ）参照）。例えば、タイプＡのタイムカードＴ（図３
（ａ）参照）を読取る場合、対応するテンプレートＴＭ（図４（ａ）参照）に基づいて、
上端から１０ミリおよび左端から１５ミリの位置と、上端から２０ミリおよび左端から５
５ミリの位置とで規定される領域を「番号」項目１０１の領域として特定する。
【００３３】
そして、特定した各項目領域からテキストデータを抽出し、抽出したテキストデータを
各項目の項目情報として特定する（同図（ｃ）参照）。上述の例では、「番号」項目１０
１の領域として特定して領域から抽出したテキストデータ「１２３４５」を「番号」項目
１０１の項目情報として特定する。
また、タイムカード上に手書きや印字のかすれ等があり、テキストデータを抽出できな
かった個所については、ディスプレイ３２に読取装置により読み取ったイメージデータを
補助画面として表示し、それを見ながら入力デバイス３１によりテキストデータを編集す
ることも可能である。
【００３４】
さらに、タイムカードＴを読み取る全体処理について、図７のフローチャートを参照し
て説明する。なお今回の説明では、使用するテンプレートＴＭがユーザからの指示によっ
て指定されるものとする。同図に示すように、まず制御装置３０のテンプレート指定部５
２により、使用するテンプレートＴＭが指定される（Ｓ０１）。この処理は、例えば図８
に示すテンプレート指定画面Ｄ１がディスプレイ３２に表示され、この指定画面Ｄ１にお
いてユーザが任意のテンプレートＴＭを指定する操作を行うことによって完結する。次に
、読取装置１０によってタイムカードＴのイメージが読み取られ、読取結果が制御装置３
０へ転送される（Ｓ０２）。なお、テンプレートＴＭの指定処理（Ｓ０１）およびタイム
カードＴの読み取り（Ｓ０２）の実行順序は逆でもよい。そして、制御装置３０の項目情
報取得部５３により、タイムカードＴの各項目情報が取得され（Ｓ０３）、さらに制御装
置３０の項目情報表示部５４により、取得した各項目の項目情報（テキストデータ）が一
覧表示される（Ｓ０４）。なお、取得した項目情報は例えばＨＤ３３に記憶され、勤怠情
報集計プログラム４２（図１参照）の入力データとして利用される。
【００３５】
図９（ａ）は、各項目の項目情報が一覧表示された表示画面Ｄ２を例示するものである
。図示するように項目情報表示部５４は、取得した各項目の項目情報を一覧表示する表示
画面Ｄ２をディスプレイ３２に表示する。これにより、ユーザは、タイムカードＴに記入
および打刻された各項目の項目情報が正確に読み取られたか否かを容易に確認することが
できる。さらに、制御装置３０の項目情報編集部５５による制御により、表示画面Ｄ２に
表示された項目情報は、ユーザが入力デバイス３１を用いて所定の操作を行うことで、編
集可能となっている。
【００３６】
同図（ａ）に示す表示画面において、例えば「２日」の欄に外出時刻「１５：００」お
よび再入時刻「１６：００」を入力すると、取得（記憶）した項目情報に入力した情報（
日「０２」における「外出」１５：００および「再入」１６：００」）が追加されて保存
される（同図（ｂ）参照）。また、表示された項目情報を修正した場合には、修正後の項
目情報が上書き保存される。
【００３７】
さらに、制御装置３０のテンプレート自動決定部５６（図２参照）によるテンプレート
自動決定処理について説明する。テンプレート自動決定部５６は、タイムカードＴに印刷
された識別情報（バーコードＢ等；図３参照）に基づいて、タイムカードＴの種別を識別
し、使用するテンプレートＴＭを決定する。具体的には、識別情報がバーコードＢである
場合、読取ったタイムカードＴのイメージデータから識別情報の印刷部分をデコードし、
このデコード結果に基づいてテンプレート自動決定部５６がテンプレートＴＭを自動決定
することとなる。
【００３８】
なお、タイムカードＴに識別情報が印刷されていない場合にも、記憶しているテンプレ
ートＴＭのなかから１のテンプレートＴＭを使用し、各項目領域においてテキストデータ
が抽出できればこれを項目情報として取得し、テキストデータが抽出できなければ他のテ
ンプレートを使用してみる、というようにテンプレートＴＭを自動決定してもよい。さら
に、読取ったタイムカードＴのイメージデータから一旦テキストデータを抽出し、抽出し
たテキストデータの並び位置に基づいてテンプレートＴＭを自動決定してもよい。
【００３９】
また、タイムカードＴに表裏を識別する識別情報（例えば「表」や「裏」の文字）が印
刷されている場合、この識別情報に基づいてタイムカードＴの表裏を識別してもよい。こ
のとき、読み取ったタイムカードＴの表裏に応じて、取得した項目情報を１月の前半部分
若しくは後半部分のデータとして取り扱うことが想定できるが、さらにこの場合、仮に連
続して表側（裏側）を読取った場合、その旨を報知してもよい。これにより、仮にユーザ
が誤ってタイムカードＴの同一面を続けて読取らせてしまった場合、その旨をユーザに知
らしめることが可能となる。
【００４０】
なお、上述のタイムカードＴの種別を識別する識別情報、およびタイムカードＴの表裏
を識別する識別情報は、タイムカードＴに印刷された情報とは限らず、タイムカードＴの
様態（形状や配色など）を読み取り、これに基づいて識別してもよい。
【００４１】
以上説明したように、本発明のタイムカード読取システム１は、タイムカードＴに含ま
れる各項目の並び位置を定義するテンプレートＴＭを記憶していることにより、読み取っ
たタイムカードＴに対応するテンプレートＴＭを用いてタイムカードＴに含まれる各項目
の項目情報を正確に取得することができる。すなわち、読み取り対象とするタイムカード
Ｔに対応するテンプレートＴＭさえ記憶しておけば、全種類のタイムカードＴを読み取る
ことが可能となる。言い換えれば、タイムカードＴの読み取りにおいてその種別が規制さ
れることがないので、本システムの導入を容易に実現し得る。
【００４２】
ところで、上述では読取装置１０が読取ったタイムカードＴのイメージデータが制御装
置３０へ転送され、制御装置３０が記憶しているテンプレートＴＭを用いてイメージデー
タから各項目の項目情報を取得する構成を説明してきたが、この構成に代えて、読取装置
１０がテンプレートＴＭを記憶し、読取装置１０側でタイムカードＴのイメージデータか
ら各項目の項目情報を取得してもよい。以下、この構成を第２実施形態として説明する。
【００４３】
図１０は、第２実施形態に係るタイムカード読取システム１の機能構成図である。第２
実施形態に係る読取装置１０は、タイムカードＴのイメージを読み取る読取部２０に加え
、複数種のテンプレートＴＭを記憶するテンプレート記憶部６１、記憶しているテンプレ
ートＴＭのなかから、読み取りに使用するテンプレートＴＭを指定するテンプレート指定
部６２、指定されたテンプレートＴＭに基づく所定領域のテキストデータを抽出すること
により、タイムカードＴの項目情報を取得する項目情報取得部６３、を備えている。また
、第１実施形態同様にテンプレート指定部６２はテンプレート自動決定部６４を有してい
る。
【００４４】
一方制御装置３０は、読取装置１０から送信（転送）された項目情報を表示する項目情
報表示部５４、および表示した項目情報を編集する項目情報編集部５５、を有している。
なお、各部の詳細な説明は上述の第１実施形態と同様であり省略する。
【００４５】
また、図示は省略するが、第２実施形態に係る読取装置１０の装置構成については、第
１実施形態に係る制御装置３０同様、ＣＰＵ、ＲＯＭ、ＲＡＭ、タイムカード読取プログ
ラム、並びにテキストデータ抽出プログラム等を備えることは言うまでもない。但し、読
取装置１０がテンプレート記憶部６１を有する場合には、ＨＤ３３に代えて例えばＲＯＭ
等の半導体メモリでテンプレート記憶部６１を構成してもよい。同様に、テンプレート指
定部６２は、上述した画面表示（ＧＵＩ）での指定に代え、スイッチやボタンを読取装置
１０に具備することにより実現してもよい。
【００４６】
このように、読取装置１０がタイムカードＴのイメージから各項目の項目情報を取得す
ることによって、読取装置１０から制御装置３０へ送信（転送）される情報が全てテキス
トデータとなることから、処理の高速化を図り得る。
【００４７】
また、上記の例に示したタイムカード読取システム１の各機能をプログラムとして提供
することも可能である。また、そのプログラムを記録媒体（図示省略）に格納して提供す
ることも可能である。記録媒体としては、ＣＤ−ＲＯＭ、フラッシュＲＯＭ、メモリカー
ド（コンパクトフラッシュ（登録商標）、スマートメディア、メモリスティック等）、コ
ンパクトディスク、光磁気ディスク、デジタルバーサタイルディスクおよびフレキシブル
ディスク、ハードディスク等を利用可能である。
【００４８】
なお、上記の実施形態におけるタイムカード読取システム１の例によらず、装置構成や
処理工程等について、本発明の要旨を逸脱しない範囲で、適宜変更も可能である。
【図面の簡単な説明】
【００４９】
【図１】タイムカード読取システムのシステム構成図である。
【図２】タイムカード読取システムの機能構成図である。
【図３】複数種のタイムカードを例示する図である。
【図４】複数種のタイムカードに対応した複数種のテンプレートを例示する図である。
【図５】テンプレートの他の例を例示する図である。
【図６】項目情報の取得処理を説明するための説明図である。
【図７】タイムカード読取処理を示すフローチャートである。
【図８】テンプレート指定画面の一例を示す図である。
【図９】項目情報表示画面を例示し、且つ項目情報の編集処理の一例を説明する説明図である。
【図１０】第２実施形態に係るタイムカード読取システムの機能構成図である。
【符号の説明】
【００５０】
１…タイムカード読取システム  １０…読取装置  ２０…読取部  ３０…制御装置  ５
１…テンプレート記憶部  ５２…テンプレート指定部  ５３…項目情報取得部  ５４…項
目情報表示部  ５５…項目情報編集部  ５６…テンプレート自動決定部  Ｔ…タイムカー
ド  ＴＭ…テンプレート
【図１】
2007164314.tif 000003
【図２】
2007164314.tif 000004
【図３】
2007164314.tif 000005
【図４】
2007164314.tif 000006
【図５】
2007164314.tif 000007
【図６】
2007164314.tif 000008
【図７】
2007164314.tif 000009
【図８】
2007164314.tif 000010
【図９】
2007164314.tif 000011
【図１０】
2007164314.tif 000012